【手続補正書】
【提出日】平成16年2月23日(2004.2.23)
【手続補正１】
【補正対象書類名】明細書
【補正対象項目名】特許請求の範囲
【補正方法】変更
【補正の内容】
【特許請求の範囲】
【請求項１】
出発地から目的地までの経路を探索する経路探索装置であって、
一般道路に対して有料道路を優先して経路探索を行なう有料道路優先モードと、有料道路に対して一般道路を優先して経路探索を行なう一般道路優先モードとを有する経路探索手段と、
利用者より目的地および出発地から当該目的地までに経由すべき経由地を受け付ける地点受付手段と、
利用者より有料道路優先モードおよび一般道路優先モードのうちのいずれかを受け付けるモード受付手段と、を有し、
前記経路探索手段は、前記モード受付手段で受け付けた優先モードが一般道路優先モードであっても、前記経由地が有料道路の入口である場合、当該経由地を始点とする区間の経路探索に対しては、有料道路を優先すること
を特徴とする経路探索装置。
【請求項２】
請求項１に記載の経路探索装置であって、
前記有料道路優先モードは、有料道路のコストが一般道路のコストより小さくなるようにして経路探索を行なうモードであり、
前記一般優先道路モードは、一般道路のコストが有料道路のコストより小さくなるようにして経路探索を行なうモードであり、
前記経路探索手段は、前記モード受付手段で受け付けた優先モードが一般道路優先モードであっても、出発地から目的地までの間の各経由地で区切られた各区間のうち、始点の経由地が有料道路の入口である区間の経路探索に対しては、有料道路を優先すること
を特徴とする経路探索装置。
【請求項３】
出発地から目的地までの経路を探索する経路探索装置であって、
一般道路に対して有料道路を優先して経路探索を行なう有料道路優先モードと、有料道路に対して一般道路を優先して経路探索を行なう一般道路優先モードとを有する経路探索手段と、
利用者より目的地および出発地から当該目的地までに経由すべき経由地を受け付ける地点受付手段と、
利用者より有料道路優先モードおよび一般道路優先モードのうちのいずれかを受け付けるモード受付手段と、を有し、
前記経路探索手段は、前記モード受付手段で受け付けた優先モードが有料道路優先モードであっても、前記経由地が有料道路の出口である場合、当該経由地を始点とする区間の経路探索に対しては、一般道路を優先すること
を特徴とする経路探索装置。
【請求項４】
請求項３に記載の経路探索装置であって、
前記有料道路優先モードは、有料道路のコストが一般道路のコストより小さくなるようにして経路探索を行なうモードであり、
前記一般優先道路モードは、一般道路のコストが有料道路のコストより小さくなるようにして経路探索を行なうモードであり、
前記経路探索手段は、前記モード受付手段で受け付けた優先モードが有料道路優先モードであっても、出発地から目的地までの間の各経由地で区切られた各区間のうち、始点の経由地が有料道路の出口である区間の経路探索に対しては、一般道路を優先すること
を特徴とする経路探索装置。
【請求項５】
出発地から目的地までの経路を探索する経路探索装置であって、
一般道路に対して有料道路を優先して経路探索を行なう有料道路優先モードと、有料道路に対して一般道路を優先して経路探索を行なう一般道路優先モードとを有する経路探索手段と、
利用者より目的地および出発地から当該目的地までに経由すべき経由地を受け付ける地点受付手段と、
利用者より有料道路優先モードおよび一般道路優先モードのうちのいずれかを受け付けるモード受付手段と、を有し、
前記経路探索手段は、前記モード受付手段で受け付けた優先モードが一般道路優先モードであっても、前記経由地が有料道路の出口である場合、当該経由地を終点とする区間の経路探索に対しては、有料道路を優先すること
を特徴とする経路探索装置。
【請求項６】
請求項５に記載の経路探索装置であって、
前記有料道路優先モードは、有料道路のコストが一般道路のコストより小さくなるようにして経路探索を行なうモードであり、
前記一般優先道路モードは、一般道路のコストが有料道路のコストより小さくなるようにして経路探索を行なうモードであり、
前記経路探索手段は、前記モード受付手段で受け付けた優先モードが一般道路優先モードであっても、出発地から目的地までの間の各経由地で区切られた各区間のうち、終点の経由地が有料道路の出口である区間の経路探索に対しては、有料道路を優先すること
を特徴とする経路探索装置。
【請求項７】
請求項１乃至６のいずれか１項に記載の経路探索装置であって、
前記地点受付手段は、各施設の施設名称を表示し、表示した施設名称の中から利用者によって選択された施設名称の施設を経由地として受け付けること
を特徴とする経路探索装置。
【請求項８】
出発地から目的地までの経路を探索する経路探索装置であって、
利用者より目的地と目的地までに経由すべき経由地を受け付ける手段と、
出発地から目的地までの間の各経由地で区切られた各区間のうち少なくとも一部の区間の経路として、当該区間の端となる経由地または目的地の種別に応じて、特定の種別の道路を優先的に使用した経路もしくは特定の種別以外の道路を優先的に使用した経路を探索する手段と、を有すること
を特徴とする経路探索装置。
【請求項９】
一般道路に対して有料道路を優先して経路探索を行なう有料道路優先モードと、有料道路に対して一般道路を優先して経路探索を行なう一般道路優先モードとを有する経路探索装置が、出発地から目的地までの経路を探索する経路探索方法であって、
利用者より、目的地、出発地から当該目的地までに経由すべき経由地、および、優先モードの指定を受け付ける受付ステップと、
指定された優先モードで出発地から目的地までの経路を探索する経路探索ステップと、を有し、
前記経路探索ステップは、指定された優先モードが一般道路優先モードであっても、前記経由地が有料道路の入口である場合、当該経由地を始点とする区間の経路探索に対しては、有料道路を優先すること
を特徴とする経路探索方法。
【請求項１０】
一般道路に対して有料道路を優先して経路探索を行なう有料道路優先モードと、有料道路に対して一般道路を優先して経路探索を行なう一般道路優先モードとを有する経路探索装置が、出発地から目的地までの経路を探索する経路探索方法であって、
利用者より、目的地、出発地から当該目的地までに経由すべき経由地、および、優先モードの指定を受け付ける受付ステップと、
指定された優先モードで出発地から目的地までの経路を探索する経路探索ステップと、を有し、
前記経路探索ステップは、指定された優先モードが有料道路優先モードであっても、前記経由地が有料道路の出口である場合、当該経由地を始点とする区間の経路探索に対しては、一般道路を優先すること
を特徴とする経路探索方法。
【請求項１１】
一般道路に対して有料道路を優先して経路探索を行なう有料道路優先モードと、有料道路に対して一般道路を優先して経路探索を行なう一般道路優先モードとを有する経路探索装置が、出発地から目的地までの経路を探索する経路探索方法であって、
利用者より、目的地、出発地から当該目的地までに経由すべき経由地、および、優先モードの指定を受け付ける受付ステップと、
指定された優先モードで出発地から目的地までの経路を探索する経路探索ステップと、を有し、
前記経路探索ステップは、指定された優先モードが一般道路優先モードであっても、前記経由地が有料道路の出口である場合、当該経由地を終点とする区間の経路探索に対しては、有料道路を優先すること
を特徴とする経路探索方法。
【手続補正２】
【補正対象書類名】図面
【補正対象項目名】図４
【補正方法】変更
【補正の内容】
【図４】
1999304515.tif 000001